(57)【要約】【課題】断面が略ノコギリ刃状に形成したプレフィルター体に堆積した塵埃の除去が極めて容易な空気調和機を提供する。【解決手段】吸込み口（図示せず）と排気口（図示せず）を有する本体（図示せず）に、室内の浮遊塵埃を含む外気を前記吸込み口から前記排気口に導く通過風路（図示せず）を形成し、該通過風路内に、上流側から、塵埃捕集用のプレフィルター体６と、送風機（図示せず）を順に配し、前記プレフィルター体６を、シート状の部材からなり断面形状が山部２０ａと谷部２０ｂより成る略ノコギリ刃状に形成したフィルター２０と、前記フィルター２０の外周を保持する枠体２１で構成すると共に、前記フィルター２０の上流側の谷部２０ｂにフラット面２０ｃを形成したもので、フィルター２０の谷部２０ｂからの塵埃の除去が極めて容易になる。【選択図】図２
2009264618.tif 000002
【特許請求の範囲】
【請求項１】
吸込み口と排気口を有する本体に、室内の浮遊塵埃を含む外気を前記吸込み口から前記排気口に導く通過風路を形成し、該通過風路内に、上流側から、塵埃捕集用のプレフィルター体と、送風機を順に配し、前記プレフィルター体を、シート状の部材からなり断面形状が山部と谷部より成る略ノコギリ刃状に形成したフィルターと、前記フィルターの外周を保持する枠体で構成すると共に、前記フィルターの上流側の谷部にフラット面を形成したことを特徴とする空気調和機。
【請求項２】
フィルターの谷部に設けたフラット面を、枠体の上流側の面と略同一または、それより上流側に位置させたことを特徴とする請求項１に記載の空気調和機。
【請求項３】
ブラシ等から成ると共にプレフィルター体の上流側表面に接触して塵埃を除去する除塵体と、前記除塵体又は前記プレフィルター体を通過風路内で所定の距離往復移動させる駆動体を備え、前記除塵体のフィルターと接触する部分の断面形状を、それぞれ山部と谷部を有するノコギリ刃状に形成し、前記除塵体の前記フィルターの上流側の谷部と接触する山部にフラット面を形成したことを特徴とする請求項１又は２に記載の空気調和機。
【請求項４】
フィルターの上流側の山部にフラット面を形成したことを特徴とする請求項１〜３のいずれか１項に記載の空気調和機。
【請求項５】
除塵体の谷部にフラット面を形成したことを特徴とする請求項４に記載の空気調和機。
【請求項６】
フィルターの谷部を、枠体の対向する二つの桟間を結合するブリッジ体として形成したことを特徴とする請求項１乃至５のいずれか１項に記載の空気調和機。
【請求項７】
本体の一部又はプレフィルター体の一端部に、フィルターから除去された塵埃を収納する塵埃収納体を設けたことを特徴とする請求項１乃至６のいずれか１項に記載の空気調和機。
【請求項８】
塵埃収納体を、本体の一部又はプレフィルター体に着脱自在に設けたことを特徴とする請求項７に記載の空気調和機。
【発明の詳細な説明】
【技術分野】
【０００１】
本発明は、空気調和機に関するもので、特に、プレフィルター体の構成に関するものである。
【背景技術】
【０００２】
従来のこの種の空気調和機は、室内熱交換器と、室内熱交換器の上流側に配され、多数の細孔を有するプレフィルター体と、前記プレフィルター体を通して室内の空気を吸引すると共に、前記熱交換器で熱交換された空気を室内に戻すための送風機を備え、前記プレフィルター体の断面形状が、山部と谷部より成る略ノコギリ刃状に形成されている。これにより、所定空間内でのプレフィルター体の濾過面積を増やすことが出来るので、送風機への外気の流れがスムーズになり、圧力損失が減少されるので、送風機は低出力化となり、小型化及び長寿命が可能となる。
【０００３】
また、プレフィルター体の濾過面積が増えることにより、塵埃捕集量の増加も可能になるので、プレフィルター体の塵埃処理を煩雑に行う必要が無く、かつ、プレフィルター体の強度も、屈曲部が多くなることにより向上するので、捕集塵埃によるフィルターの目詰まり状態でも、送風機の吸引力に打ち勝ち、その変形を防止できるようになっている（例えば、特許文献１参照）。
【特許文献１】特開平６−１９３９０４号公報
【発明の開示】
【発明が解決しようとする課題】
【０００４】
しかしながら、上記特許文献１に開示されたような従来の空気調和機のプレフィルター体の断面における谷部は、略三角形状のために、塵埃を含んだ外気は、山部と谷部を繋ぐ傾斜面に沿って、谷部の頂点に向かってガイドされるため、塵埃は上流側の谷部の頂点から順に堆積し、かつ圧縮される。この為、プレフィルター体に堆積した塵埃の除去が非常に困難になるといった課題があった。
【０００５】
本発明は、上記従来の課題を解決するもので、断面形状が山部と谷部より成る略ノコギリ刃状に形成したプレフィルター体に堆積した塵埃の除去が極めて容易な空気調和機を提供することを目的とするものである。
【課題を解決するための手段】
【０００６】
前記従来の課題を解決するために、本発明の空気調和機は、吸込み口と排気口を有する本体に、室内の浮遊塵埃を含む外気を前記吸込み口から前記排気口に導く通過風路を形成し、該通過風路内に、上流側から、塵埃捕集用のプレフィルター体と、送風機を順に配し、前記プレフィルター体を、シート状の部材からなり断面形状が山部と谷部より成る略ノコギリ刃状に形成したフィルターと、前記フィルターの外周を保持する枠体で構成すると共に、前記フィルターの上流側の谷部にフラット面を形成したもので、フィルターの谷部からの塵埃の除去が極めて容易になる。
【発明の効果】
【０００７】
本発明の空気調和機は、断面形状が山部と谷部より成る略ノコギリ刃状に形成したプレフィルター体の谷部に堆積した塵埃の除去が極めて容易である。
【発明を実施するための最良の形態】
【０００８】
第１の発明は、吸込み口と排気口を有する本体に、室内の浮遊塵埃を含む外気を前記吸込み口から前記排気口に導く通過風路を形成し、該通過風路内に、上流側から、塵埃捕集用のプレフィルター体と、送風機を順に配し、前記プレフィルター体を、シート状の部材からなり断面形状が山部と谷部より成る略ノコギリ刃状に形成したフィルターと、前記フィルターの外周を保持する枠体で構成すると共に、前記フィルターの上流側の谷部にフラット面を形成したもので、フィルターの谷部からの塵埃の除去が極めて容易になる。
【０００９】
第２の発明は、特に、第１の発明のフィルターの谷部に設けたフラット面を、枠体の上流側の面と略同一または、それより上流側に位置させたもので、フィルターの上流側の谷部に堆積した塵埃をブラシなどで除去する際、塵埃がフィルターの端部で枠体に引っかかることがなく、塵埃処理がスムーズに出来る。
【００１０】
第３の発明は、特に、第１又は第２の発明の空気調和機において、ブラシ等から成ると共にプレフィルター体の上流側表面に接触して塵埃を除去する除塵体と、前記除塵体又は前記プレフィルター体を通過風路内で所定の距離往復移動させる駆動体を備え、前記除塵体のフィルターと接触する部分の断面形状を、それぞれ山部と谷部を有するノコギリ刃状に形成し、前記除塵体の前記フィルターの上流側の谷部と接触する山部にフラット面を形成したもので、フィルターに捕集された塵埃を自動的に処理する際、フィルターもそれに当接する除塵体のいずれも断面が山部と谷部より成る略ノコギリ刃状に形成されているので、除塵体が左右に変形しようとしても、それぞれの山部、谷部さらには傾斜部により、変形が減少され、確実に除塵を行うことができる。さらに、前記除塵体又はプレフィルター体のいずれかを駆動体により駆動する場合も、それぞれの山部、谷部および傾斜部がガイドレールの役目を果し、除塵体が左右にぶれることなく、確実にプレフィルター体の上流側表面をストレートに移動し除塵作業を、塵埃の取り残しなく、効率よく実施することが出来る。この時、除塵体の山部とフィルターの谷部のそれぞれのフラット面同士が当接するため、断面が略三角状の山部と谷部が当接するのに比べて、除塵力が左右に分散されるのが少なくなり、確実に除塵できる。
【００１１】
第４の発明は、特に、第１〜３のいずれか一つの発明のフィルターの上流側の山部にフラット面を形成したもので、フィルターの上流側の山部にもフラット面を形成することで、フィルターの強度がさらに向上し、塵埃による目詰まり状態の時でも、送風機の吸引力に対し、変形が防止できる。また、フィルターの山部にもフラット面が形成されているので、同山部の塵埃も確実に除去できる。
【００１２】
第５の発明は、特に、第４の発明の除塵体の谷部にフラット面を形成したもので、フィルターの山部及び除塵体の谷部の両方にフラット面を形成することで、プレフィルター体の強度が向上すると共に、除塵体とフィルターとの接触面がフラット面同士となり、垂直に当接することで、除塵力も均一に成り、その除塵効果も向上する。
【００１３】
第６の発明は、特に、第１〜５のいずれか一つの発明のフィルターの谷部を、枠体の対向する二つの桟間を結合するブリッジ体として形成したもので、フィルターの谷部で、ほぼ矩形で、中央部に空間を形成した枠体の対向する二つの桟間を結合してブリッジ体とすることで、枠体の強度が向上し、フィルターが目詰まりの状態でも、送風機の吸引力に打ち勝ち変形を防止することが出来る。又、フィルターの上流側の谷部に枠体の樹脂を流してブリッジ体を形成すると、その箇所でフィルターの細径が塞がられるので、塵埃がその谷部に堆積しにくく、除塵作業が容易である。
【００１４】
第７の発明は、特に、第１〜６のいずれか一つの発明の本体の一部又はプレフィルター体の一端部に、フィルターから除去された塵埃を収納する塵埃収納体を設けたもので、プレフィルター体から除去された塵埃の廃棄または、処理が容易になる。
【００１５】
第８の発明は、特に、第７の発明の塵埃収納体を、本体の一部又はプレフィルター体に着脱自在に設けたもので、塵埃を捨てる際、塵埃収納体を取り外して、容易に持ち運べるので、塵埃の処理が容易である。
【００１６】
以下、本発明の実施例について、図面を参照しながら説明する。なお、この実施例によって本発明が限定されるものではない。
【００１７】
（実施例１）
【００１８】
図１は、本発明の第１の実施例における空気調和機の断面図、図２は、同空気調和機のプレフィルター体の斜視図及び分解斜視図、図３は、同プレフィルター体の裏面部分斜視図、図４は、図２のＡ−Ａ断面図、図５は、図２のＢ−Ｂ断面図、図６は、図２のＣ−Ｃ断面図、図７は、同空気調和機の除塵体の部分斜視図、図８は、同プレフィルター体と除塵体の断面図、図９は、同プレフィルター体と除塵体の断面図である。
【００１９】
図１〜９において、本実施例における空気調和機の本体１の前部には、複数の吸込み口２を有すると共に上端が本体１に回動自在に取着された前面パネル３が取り付けられ、本体１の下部には、排気口４が設けられ、吸込み口２と排気口４とを連通して、浮遊塵埃を含む室内の空気を吸込み口２から排気口４に導く通過風路５内には、前面パネル３側から順に、吸込み口２から流入する室内の空気に含まれる塵埃を捕捉するプレフィルター体６と、室内熱交換器７と、吸込み口２から室内の空気を吸引し、前記室内熱交換器７で熱交換された空気を排気口４から吹き出すための送風機８が配置されている。
【００２０】
本体１の下面には、プレフィルター体６が出没するプレフィルター体通過口９が設けられている。プレフィルター体６の上流側には、プレフィルター体６で捕捉された塵埃を除去する除塵体１２と、除塵体１２の下方に配され、除塵体１２で除去され落下する塵埃を受けると共にそれを収納する塵埃収納体１３が設けられている。本体１の側面には、特に図示しないが、塵埃収納体１３を出し入れするための開口部が設けられている。
【００２１】
１４は、プレフィルター体６の清掃時に、本体１に設けたプレフィルター体保持溝１５にガイドさせながら斜め上・下方向にプレフィルター体６を移動させる第１の駆動体で、第１の駆動体１４を駆動してプレフィルター体６を斜め下方に移動させると、プレフィルター体６が、プレフィルター体通過口９より外方に飛び出し、プレフィルター体６を斜め上方に移動させると、プレフィルター体６が本体１内に収納されるようになっている。１６は、送風機８や、第１の駆動体１４などの電気部品を制御する制御体である。
【００２２】
プレフィルター体６は、シート状の塵埃捕集用の濾材から成り、断面が、図２に示すように、山部２０ａと、谷部２０ｂよりなる略ノコギリ刃状のフィルター２０と、フィルター２０の外周囲を保持する枠体２１から構成されている。
【００２３】
本実施例では、フィルター２０の上流側の谷部２０ｂには、フラット面２０ｃが形成されている。
【００２４】
枠体２１は、中央に開口２１ａを有し、枠体２１の上下方向で対向する一対の桟２１ｂの上流側の面には、フィルター２０の山部２０ａの裏面が気密に固着される複数の突起２１ｃと、フィルター２０のフラット面２０ｃの裏面が気密に固着される平端部２１ｄが設けられている。
【００２５】
以上のように、フィルター２０の山部２０ａ、フラット面２０ｃのそれぞれを、突起２１ｃ、平端部２１ｄに気密に固着し、更にフィルター２０の左右の端部を枠体２１の左右の桟２１ｅに固着することにより、開口２１ａがフィルター２０で完全に覆われる。
【００２６】
又、枠体２１の右端の裏面には、図３（ａ）に示すように、ギアＡ２１ｆが、上下方向に延設されている。
【００２７】
第１の駆動体１４は、第１のモータ１７と、その回転軸１７ａに固着され、枠体２１に設けたギアＡ２１ｆに噛み合う第１の駆動ギア２２から構成されている。
【００２８】
除塵体１２は、一端が本体１に設けた軸受部１ａに回転自在に支持され、他端が第２の駆動体２３に連結された軸体１２ａと、多数の細径の繊維などからなり、軸体１２ａの外周に取着されると共に、フィルター２０の上流側表面に接して、フィルター２０に付着した塵埃を除去するブラシ１２ｂから構成されている。ブラシ１２ｂの幅寸法は、フィルター２０の全幅に略等しく設定されている。尚、ブラシ１２ｂの軸体１２ａの外周への取着は、接着、溶着、植毛するなどの方法で固着するか、或いは、着脱自在に装着できるようにしても良い。
【００２９】
除塵体１２のブラシ１２ｂの断面形状は、図８に示すように、フィルター２０の山部２０ａに接する谷部１２ｃと、フィルター２０の谷部２０ｂに接する山部１２ｄを有するノコギリ刃状に形成されている。
【００３０】
除塵体１２の軸体１２ａの一端に連結された第２の駆動体２３を回転することにより、除塵体１２を、図１において、時計方向に回転駆動して、フィルター２０の上流側表面に付着した塵埃を効率よく掻き落とすことができる。
【００３１】
除塵体１２で除去され落下してくる塵埃を受ける塵埃収納体１３の左右方向の長さは、フィルター２０の全幅にわたる長さとほぼ同一で、また、塵埃収納体１３の上面には、除塵体１２のブラシ１２ｂが臨む開口部１３ａが形成され、塵埃収納体１３内の一部には、先端がブラシ１２ｂに食い込む櫛歯２４が、ブラシ１２ｂと平行に設けられている。
【００３２】
以上のように構成された本実施の形態における空気調和機の動作、作用は以下の通りである。
【００３３】
なお、本実施例における空気調和機の冷暖房運転時の動作は、従来の空気調和機のそれと同一なので、その説明を省略し、特に、プレフィルター体６の清掃運転時の動作について説明する。
【００３４】
本体１又は、本体１を遠隔操作するリモコン（図示せず）に設けたプレフィルター体クリーニングスイッチ（図示せず）を操作すると、まず最初に、第２の駆動体２３の運転により除塵体１２が時計方向（図１参照）に、すなわち、ブラシ１２ｂで、フィルター２０に付着した塵埃を上から下に向けて掻き落とす方向に回転する。そして、第１の駆動体１４が駆動して、プレフィルター体６をゆっくりと斜め下方に移動させる。この動作により、フィルター２０の下方から順に、フィルター２０に付着した塵埃が掻き落とされ、その塵埃は、塵埃収納体１３内に落下し、堆積していく。
【００３５】
本実施例では、上記清掃運転のときは、ブラシ１２ｂの外周の周速度が、プレフィルター体６の下降速度より大きくなるように設定している。これにより、プレフィルター体６に付着した塵埃を確実に除去すると共に、プレフィルター体６に余分な負荷が、すなわち、第１の駆動体１４に無理な負荷が加わるのを防止している。
【００３６】
上記の動作の間、ブラシ１２ｂに塵埃が付着したまま残ることがあるが、それらは、先端がブラシ１２ｂに食い込んだ櫛歯２４により、順次取り除かれるので、塵埃の除去性能が次第に低下することが無い。
【００３７】
第１の駆動体１４の運転により、プレフィルター体６が完全に下がりきって、プレフィルター体６の清掃が完了すると、自動的に第１の駆動体１４が逆転し、プレフィルター体保持溝１５にガイドされながら、プレフィルター体６が上昇し、最初の収納位置に戻る。プレフィルター体６が上昇する間に、除塵体１２を清掃時と同様に、第２の駆動体２３で回転させれば、プレフィルター体６の清掃をより確実に行うことができる。或いは、プレフィルター体６が上昇する間に、クラッチ機構（図示せず）などを用いて、除塵体１２と第２の駆動体２３との機械的連結を解除し、除塵体１２が自由に回転できるようにすれば、プレフィルター体６に加わる負荷、すなわち、第１の駆動体１４に加わる負荷が大幅に減るようになり、第１の駆動体１４の小型化を図ることもできる。
【００３８】
プレフィルター体６の清掃を、上記のようにして何度か行って、塵埃収納体１３内が塵埃で一杯になってきたら、本体１の側面に設けた開口部（図示せず）から、塵埃収納体１３を取り出して、中の塵埃を廃棄すれば良い。
【００３９】
コスト高にはなるが、塵埃収納体１３に吸引装置（図示しない）を連結して、定期的に或いは、光学的手段などを用いて、塵埃収納体１３が塵埃で一杯になったことを検知したときに、前記吸引装置を運転して、外部に排出するようにすれば、手間がかからず、メンテナンスが容易な空気調和機を提供できる。
【００４０】
また、フィルター２０の上流側の谷部２０ｂにフラット面２０ｃを設けているので、フィルター２０の谷部２０ｂからの塵埃の除去が極めて容易になる。
【００４１】
又、上記実施例では、フィルター２０のフラット面２０ｃの裏面を、枠体２１の上流側の平端部２１ｄに固着しているので、すなわちフラット面２０ｃが、枠体２１の上流側の面より上流側に位置しているので、フィルター２０の上流側の谷部２０ｂに堆積した塵埃を除塵体１２で除去する際、塵埃が、フィルター２０の端部で枠体２１に引っかかることがなく、塵埃処理がスムーズに出来るものである。
【００４２】
なお、枠体２１の平端部２１ｄにフィルター２０の厚み程度の段差を設け、フィルター２０のフラット面２０ｃと、枠体２１の上流側の面と同一面としても同様の効果が得られることは、言うまでもない。
【００４３】
又、除塵体１２の断面は、フィルター２０の山部２０ａと谷部２０ｂのそれぞれに対応するように、谷部１２ｃ、山部１２ｄを有するノコギリ刃状に形成されているので、フィルター２０で捕集された塵埃を自動的に処理する際、除塵体１２が左右に変形しようとしても、それぞれの山部１２ｄ、谷部１２ｃさらには、山部１２ｄと谷部１２ｃとを繋ぐ傾斜部１２ｆにより、変形が減少されるので、確実に除塵を行うことができる。
【００４４】
さらに、プレフィルター体６を第１の駆動体１４により駆動する場合も、それぞれの山部２０ａ、谷部２０ｂおよび山部２０ａと谷部２０ｂを繋ぐ傾斜部２０ｄがガイドレールの役目を果し、除塵体１２が左右にぶれることなく、確実にプレフィルター体６の上流側表面をストレートに移動し、除塵作業を塵埃の取り残しなく、効率よく実施することが出来る。この時、除塵体１２の山部１２ｄとフィルター２０の谷部２０ｂのそれぞれのフラット面１２ｅとフラット面２０ｃ同士が当接するため、断面が略三角状の山部と谷部が当接するのに比べて、除塵力が左右に分散されるのが少なくなり、確実に除塵できる。
【００４５】
尚、上記実施例では、プレフィルター体６の自動清掃を可能にするために、除塵体１２を回転駆動する方式を採用したが、本発明は、その採用を条件とするものでは無く、使用者がプレフィルター体６を必要に応じて、空気調和機の本体１から取り外し、一般的なブラシを用いて清掃するようにした空気空気調和機においても、プレフィルター体６の谷部２０ｂにフラット面２０ｃが形成されているので、塵埃の除去が容易になることは言うまでもない。
【００４６】
なお、上記実施例では、プレフィルター体６のフィルター２０の谷部２０ｂにフラット面２０ｃを、それと対向する除塵体１２の山部１２ｄにフラット面１２ｅをそれぞれ形成したが、図１０に示すように、フィルター２０の山部２０ａ及び谷部２０ｂのそれぞれにフラット面２０ｃを、それらと対向する除塵体１２側の谷部１２ｃ及び山部１２ｄのそれぞれにフラット面１２ｅをそれぞれ形成しても良い。
【００４７】
フィルター２０を上記のように構成することにより、フィルター２０の強度がさらに向上し、塵埃による目詰まり状態の時でも、送風機８の吸引力に対し、変形が防止できる。また、フィルター２０の山部２０ａにもフラット面２０ｃが形成されているので、山部２０ａの塵埃も確実に除去することができる。
【００４８】
また、除塵体１２の谷部１２ｃ、山部１２ｄの両方にもフラット面１２ｅが形成されているので、フィルター２０との接触面がフラット面同士となり、垂直に当接することで、除塵力も均一に成り、その除塵効果を大幅に向上させることが出来る。
【００４９】
また、上記実施例では、除塵体１２を、軸体１２ａに多数の細径の繊維などからなるブラシ１２ｂを固着して形成したが、図１１に示すように、軸体１２ａの外周に、それぞれ山部１２ｄ、谷部１２ｃを形成した複数のシート状のブラシ１２ｂを固着して構成しても良い。この場合においても、少なくとも山部１２ｄに、フラット面１２ｅを形成しておく、ことはいうまでもない。
【００５０】
（実施例２）
【００５１】
図１２は、本発明の第２の実施例における空気調和機のプレフィルター体の斜視図と断面図である。尚、上記第１の実施例における空気調和機と同一部分については同じ符号を用いて説明を省略する。
【００５２】
上記第１の実施例では、プレフィルター体６のフィルター２０の谷部２０ｂに平坦部を設けてフラット面２０ｃを形成したが、本実施例は、図１２に示すように、枠体２１を成型する際に、枠体２１を形成する樹脂材料がフィルター２０の谷部２０ｂに流れるように、フィルター２０と一体的に成型して、谷部２０ｂにフラット面２０ｃを形成するようにしたものである。尚、本実施例では、フラット面２０ｃと、枠体２１の上流側の面と同一面にしているが、枠体２１の上流側の面より上流側に位置しても良い。
【００５３】
上記のように構成されたプレフィルター体６によれば、フィルター２０の谷部２０ｂのフラット面２０ｃが形成された部分では、フィルター２０の細孔が樹脂で塞がれ、空気が通過しないので、その部分に塵埃が堆積し難くなり、除塵作業が一層容易になるものである。
【００５４】
また、フィルター２０の谷部２０ｂ内でフラット面２０ｃを形成する樹脂は、枠体２１の上下の桟２１ｂを連結するブリッジ体の役目を果たすので、枠体２１の強度が向上し、フィルター２０が目詰まりの状態でも、送風機８の吸引力によって容易に変形することがない。
【００５５】
（実施例３）
【００５６】
図１３は、本発明の第３の実施例における空気調和機の要部断面図、プレフィルター体と除塵体の斜視図である。尚、上記実施例における空気調和機と同一部分については同じ符号を用いて説明を省略する。
【００５７】
上記第１の実施例では、除塵体の位置を固定し、プレフィルター体を上下方向に移動させることで、プレフィルター体の全域を清掃するようにしたが、本実施例は、プレフィルター体を固定し、除塵体を上下動させて、プレフィルター体の全域を清掃することが出来るようにするものである。
【００５８】
図１３において、本実施例における空気調和機のプレフィルター体２７は、枠体２８とその枠体２８に気密に、且つ山部２０ａが上下方向になるようにして固着されたフィルター２０から構成され、その枠体２８の下部に、上面が開口しフィルター２０から落下する塵埃を受け、収納する塵埃収納体２９が着脱自在に取り付けられている。言うまでも無いが、塵埃収納体２９を枠体２８の所定の部分に取り付けたとき、塵埃収納体２９が、フィルター２０の真下に位置するようになっている。
【００５９】
３０は、フィルター２０の上流側表面に付着した塵埃を除去する除塵体で、多数の細径の繊維あるいはシート状の部材からなりフィルター２０の山部２０ａ、谷部２０ｂのそれぞれに摺接する谷部３１ａ、山部３１ｂを有するブラシ３１と、ブラシ３１を保持するブラシ保持部材３２から構成されている。
【００６０】
空気調和機の本体１には、ブラシ保持部材３２の両端を上下方向にガイドするガイド溝３３が形成されている。本体１には、特に図示しないが、ブラシ保持部材３２を、図１３に示すように、ブラシ３１の谷部３１ａ、山部３１ｂを、フィルター２０の山部２０ａ、谷部２０ｂに摺接させた状態で上下に移動させる第３の駆動体が設けられている。
【００６１】
以上のように構成された本実施例における空気調和機のプレフィルター体２７の清掃動作は以下の通りである。
【００６２】
通常は、除塵体３０は、そのブラシ３１が、フィルター２０の上端に接する位置（以下「上死点」という）で支持されている。そして、プレフィルター体２７の清掃を行うために第３の駆動体を運転すると、除塵体３０が下降し、その間に、フィルター２０に付着した塵埃が、ブラシ３１で除去され、下方に落下して、塵埃収納体２９に堆積していく。
【００６３】
そして、除塵体３０のブラシ３１がフィルター２０の下端に接する位置（図１３（ａ）で点線で示された位置。以下「下死点」という）に達すると、次の清掃に備えるため、自動的に第３の駆動体が逆駆動し、除塵体３０を元の上死点まで移動させる。
【００６４】
塵埃収納体２９に堆積した塵埃を廃棄するときは、塵埃収納体２９に設けた取っ手２９ａを掴んで、塵埃収納体２９を枠体２８から取り外して簡単に行うことができる。
【００６５】
以上のように、本実施例によれば、プレフィルター体２７を固定し、除塵体３０を上下動させるようにしているので、プレフィルター体２７の清掃時に、プレフィルター体２７が、本体１の底部から飛び出すことが無く、安価で、意匠的にも優れた空気調和機を提供することが出来るものである。
【００６６】
尚、上記実施例では、塵埃収納体２９を枠体２８に着脱自在に設けたが、空気調和機の本体１に着脱自在に設けても良い。
【００６７】
また、本実施例では、プレフィルター体２７の下部に塵埃収納体２９を取り付けたが、プレフィルター体２７のフィルター２０を、横向きに、すなわち山部２０ａ、谷部２０ｂの稜線が水平になるように設け、更に除塵体３０を左右方向に移動するように設けた場合は、塵埃収納体２９を枠体２８の左右のいずれかの端部に設けると良い。
【００６８】
（実施例４）
【００６９】
図１４は、本発明の第４の実施例における空気調和機の要部断面図である。尚、上記実施例における空気調和機と同一部分については同じ符号を用いて説明を省略する。
【００７０】
本実施例は、プレフィルター体を本体に固定し、プレフィルター体の清掃時に、除塵体を回転させながら、それをプレフィルター体の上流側の表面に沿って上下動させるようにしたものである。
【００７１】
図１４において、本実施例における空気調和機は、上記第３の実施例におけるプレフィルター体２７を備え、そのプレフィルター体２７の上流側には、除塵体ユニット３５が配されている。除塵体ユニット３５は、本体１に設けたガイドレール３６に沿って、図示しない第４の駆動体により、プレフィルター体２７に平行に、且つ上下方向に移動可能に設けられている。
【００７２】
除塵体ユニット３５は、上記第１の実施例で述べた除塵体１２と、除塵体１２を時計方向に回転駆動する第２の駆動体２３と、除塵体１２を覆うカバー体３８と、除塵体１２のブラシ１２ｂによってフィルター２０から除去された塵埃を収納すると共に、カバー体３８に着脱自在に取着される塵埃収納体３７から構成されている。３７ａは、塵埃収納体３７の一部に形成され、ブラシ１２ｂに付着した塵埃を梳く梳き歯である。その他の構成は、上記第３の実施例に記載された空気調和機と同一である。
【００７３】
以上のように構成された本実施例における空気調和機のプレフィルター体２７の清掃動作は、以下の通りである。
【００７４】
通常、除塵体ユニット３５は、内設された除塵体１２のブラシ１２ｂがフィルター２０の上端に接する位置（以下「上死点」という）で保持されている。そして、プレフィルター体２７の清掃を行うために、第２の駆動体２３及び第４の駆動体（図示せず）を運転すると、除塵体１２が時計方向に回転しながら、除塵体ユニット３５が徐々に下降していく。その間に、フィルター２０に付着した塵埃が、ブラシ１２ｂで掻き取られ、塵埃収納体３７の中に落下し、次第に堆積していく。ブラシ１２ｂに付着して自然落下しない塵埃は、梳き歯３７ａにより梳かれて、塵埃収納体３７内に落下する。
【００７５】
そして、除塵体ユニット３５が、ブラシ１２ｂがフィルター２０の下端に接する位置（以下「下死点」という）に達すると、次の清掃に備えるため、自動的に第４の駆動体が逆駆動し、除塵体ユニット３５を元の上死点まで移動させた後、自動的に停止する。
【００７６】
塵埃収納体３５が塵埃で一杯になったら、塵埃収納体３５をカバー体３８から取り外すことにより、簡単に行うことができる。
【００７７】
以上のように、本実施例によれば、プレフィルター体２７を固定し、除塵体ユニット３５を上下動させるようにしているので、プレフィルター体２７の清掃時に、プレフィルター体２７が、本体１の底部から飛び出すことが無く、意匠的に優れた空気調和機を提供することが出来るものである。
【産業上の利用可能性】
【００７８】
以上のように、本発明にかかる空気調和機は、断面形状が山部と谷部より成る略ノコギリ刃状に形成したプレフィルター体に堆積した塵埃の除去が極めて容易なもので、空気調和機に限らず、断面略ノコギリ刃状に形成されたフィルターを有する各種機器に応用できる。
【図面の簡単な説明】
【００７９】
【図１】本発明の第１の実施例における空気調和機の断面図
【図２】（ａ）同空気調和機のプレフィルター体の斜視図、（ｂ）同プレフィルター体の分解斜視図
【図３】同プレフィルター体の裏面部分斜視図
【図４】図２のＡ−Ａ断面図
【図５】図２のＢ−Ｂ断面図
【図６】図２のＣ−Ｃ断面図
【図７】同空気調和機の除塵体の部分斜視図
【図８】同プレフィルター体と除塵体の断面図
【図９】同プレフィルター体と除塵体の断面図
【図１０】他の例を示すプレフィルター体と除塵体の断面図
【図１１】他の例を示す除塵体の部分斜視図
【図１２】（ａ）本発明の第２の実施例における空気調和機のプレフィルター体の斜視図、（ｂ）図１２（ａ）のＤ−Ｄ断面図
【図１３】（ａ）本発明の第３の実施例における空気調和機の要部断面図、（ｂ）同空気調和機のプレフィルター体の斜視図、（ｃ）同空気調和機の除塵体の斜視図
【図１４】本発明の第４の実施例における空気調和機の要部断面図
【符号の説明】
【００８０】
１    本体
２    吸込み口
４    排気口
５    通過回路
６、２７  プレフィルター体
７    室内熱交換器
８    送風機  
１２、３０  除塵体
１３、２９、３７  除塵収納体
１４    第１の駆動体（駆動体）
２０    フィルター
２０ａ  山部
２０ｂ  谷部
２０ｃ  フラット面
２１、２８  枠体
２３    第２の駆動体
【図１】
2009264618.tif 000003
【図２】
2009264618.tif 000004
【図３】
2009264618.tif 000005
【図４】
2009264618.tif 000006
【図５】
2009264618.tif 000007
【図６】
2009264618.tif 000008
【図７】
2009264618.tif 000009
【図８】
2009264618.tif 000010
【図９】
2009264618.tif 000011
【図１０】
2009264618.tif 000012
【図１１】
2009264618.tif 000013
【図１２】
2009264618.tif 000014
【図１３】
2009264618.tif 000015
【図１４】
2009264618.tif 000016